(57)【要約】【課題】放送局に対応するロゴの表示サイズを整え、表示画面をより見やすくすることができる、放送受信装置及び放送受信方法を提供する。【解決手段】  放送受信装置は、第１の画面生成部と第２の画面生成部を有する。前記第１の画面生成部は、放送信号に含まれる放送局に対応する第１サイズのロゴデータを受信し、前記第１サイズの前記ロゴデータを表示サイズにして所定表示位置に配置した表示画面を生成する。前記第２の画面生成部は、前記放送信号に含まれる前記放送局に対応する前記第１サイズよりも画素数の大きい第２サイズのロゴデータを受信し、前記第２サイズの前記ロゴデータを前記表示サイズにするか或いは近づけて前記所定表示位置に配置した表示画面を生成する。【選択図】図１
2019161404.tif 000002
【特許請求の範囲】
【請求項１】
放送信号に含まれる放送局に対応する第１サイズのロゴデータを受信し、前記第１サイズの前記ロゴデータを表示サイズにして所定表示位置に配置した表示画面を生成する第１の画面生成部と、
前記放送信号に含まれる前記放送局に対応する前記第１サイズよりも画素数の大きい第２サイズのロゴデータを受信し、前記第２サイズの前記ロゴデータを前記表示サイズにするか或いは近づけて前記所定表示位置に配置した前記表示画面を生成する第２の画面生成部と、を有する、
放送受信装置。
【請求項２】
前記表示サイズと、前記第１サイズ及び前記第２サイズの前記ロゴデータとを記憶するメモリを有し、
前記第１及び第２の画面生成部は、前記ロゴデータのデータサイズが前記表示サイズと異なるとき、拡大又は縮小により、前記ロゴデータの前記データサイズが前記表示サイズになるように、或いは、前記ロゴデータの前記データサイズが前記表示サイズに近づくように、サイズ変更をし、前記表示サイズの前記ロゴデータを前記所定表示位置に配置した前記表示画面を生成する、
請求項１に記載の放送受信装置。
【請求項３】
表示サイズ決定部を有し、
前記表示サイズ決定部は、前記表示画面における表示チャンネル数に応じ、前記表示サイズを決定して前記メモリに記憶させる、
請求項２に記載の放送受信装置。
【請求項４】
前記メモリは、ユーザの指示入力によって指示された前記表示サイズを記憶する、請求項２に記載の放送受信装置。
【請求項５】
前記表示画面は、少なくとも、番組表画面、チャンネル切換画面、又は、録画設定画面のいずれか１つを含む、請求項１に記載の放送受信装置。
【請求項６】
前記メモリは、前記放送信号から取得し、対応付けられた前記ロゴデータの前記データサイズを示すロゴタイプを記憶し、
前記第１及び第２の画面生成部は、前記ロゴタイプによって示された前記データサイズが前記表示サイズと異なるとき、拡大又は縮小によって前記ロゴデータの前記データサイズが前記表示サイズになるように、サイズ変更をする、
請求項２に記載の放送受信装置。
【請求項７】
第１の画面生成部によって放送信号に含まれる放送局に対応する第１サイズのロゴデータを受信し、前記第１サイズの前記ロゴデータを表示サイズにして所定表示位置に配置した表示画面を生成し、
第２の画面生成部によって前記放送信号に含まれる前記放送局に対応する前記第１サイズよりも画素数の大きい第２サイズのロゴデータを受信し、前記第２サイズの前記ロゴデータを前記表示サイズにするか或いは近づけて前記所定表示位置に配置した前記表示画面を生成する、
放送受信方法。
【請求項８】
第１解像度の放送を受信して前記第１解像度の放送に含まれる第１サイズの放送局に対応するロゴデータを受信し、前記第１サイズの前記ロゴデータを表示サイズにして所定表示位置に配置した表示画面を生成する第１の画面生成部と、
第２解像度の放送を受信して前記第２解像度の放送に含まれる前記第１サイズよりも画素数の大きい第２サイズの前記放送局に対応するロゴデータを受信し、前記第２サイズの前記ロゴデータを前記表示サイズにするか或いは近づけて前記所定表示位置に配置した前記表示画面を生成する第２の画面生成部と、を有する、
放送受信装置。
【発明の詳細な説明】
【技術分野】
【０００１】
本発明の実施形態は、放送受信装置及び放送受信方法に関する。
【背景技術】
【０００２】
従来、テレビジョン放送による放送信号を受信する放送受信装置がある。放送受信装置は、ユーザによる放送局の識別が容易になるように、放送信号の中から放送局に対応するロゴを抽出し、電子番組表画面、チャンネル切換画面（チャンネル切換時のバナー表示画面）、録画設定画面等の表示画面中に放送局のロゴを表示することがある。
【０００３】
放送信号には、互いにサイズの異なる複数のロゴが含まれることがあり、ロゴのサイズが不揃いになると、表示画面は、ユーザにとって見難くなることがある。特に、２０１８年１２月から実用放送が開始予定されている超高精細の４Ｋ・８Ｋによる高度広帯域衛星デジタル放送では、４Ｋ・８Ｋ解像度に見合う画素数のロゴが送信されるので、何も考慮しないと、従来の２Ｋで表示するロゴと、異なる大きさでロゴを表示してしまうという課題がある。
【先行技術文献】
【特許文献】
【０００４】
【特許文献１】特開２０１０−１０７９０９号公報
【発明の概要】
【発明が解決しようとする課題】
【０００５】
実施形態は、放送局に対応するロゴの表示サイズを整え、表示画面をより見やすくすることができる、放送受信装置及び放送受信方法を提供することを目的とする。
【課題を解決するための手段】
【０００６】
放送受信装置は、第１の画面生成部と第２の画面生成部を有する。前記第１の画面生成部は、放送信号に含まれる放送局に対応する第１サイズのロゴデータを受信し、前記第１サイズの前記ロゴデータを表示サイズにして所定表示位置に配置した表示画面を生成する。前記第２の画面生成部は、前記放送信号に含まれる前記放送局に対応する前記第１サイズよりも画素数の大きい第２サイズのロゴデータを受信し、前記第２サイズの前記ロゴデータを前記表示サイズにするか或いは近づけて前記所定表示位置に配置した表示画面を生成する。
【図面の簡単な説明】
【０００７】
【図１】実施形態に関わる、放送受信装置の構成の一例を示すブロック図である。
【図２】実施形態に関わる、放送受信装置におけるロゴタイプの一例を示す図である。
【図３】実施形態に関わる、放送受信装置におけるロゴ情報の一例を説明するための図である。
【図４】実施形態に関わる、放送受信装置における表示画面の一例を示す図である。
【図５】実施形態に関わる、放送受信装置における画面生成処理の流れの一例を示すフローチャートである。
【図６】実施形態に関わる、放送受信装置におけるサイズ変更処理を説明するための説明図である。
【図７】実施形態に関わる、放送受信装置における表示画面の一例を示す図である。
【図８】実施形態に関わる、放送受信装置における表示画面の一例を示す図である。
【図９】実施形態に関わる、放送受信装置における表示画面の一例を示す図である。
【図１０】実施形態に関わる、放送受信装置における表示画面の一例を示す図である。
【発明を実施するための形態】
【０００８】
（実施形態）
以下、図面を参照して実施形態を説明する。
【０００９】
（構成）
図１は、実施形態に関わる、放送受信装置１の構成の一例を示すブロック図である。
【００１０】
図１に示すように、放送受信装置１は、放送受信部１１、ＣＡＳモジュール２１、信号処理部３１、操作部４１、指示信号受信部５１、インターフェイス（以下「Ｉ／Ｆ」という）６１、映像音声出力部７１、及び、制御部８１を有する。
【００１１】
放送受信部１１は、地上デジタルテレビジョン放送（地上デジタル放送）、ＢＳ／広帯域ＣＳデジタル放送（ＢＳ放送、ＣＳ放送）、高度ＢＳ放送及び高度広帯域ＣＳ放送等の放送信号を受信し、放送信号の中からユーザの所望のチャンネルの映像信号、音声信号及び制御情報を抽出して信号処理部３１に出力する。放送受信部１１は、入力端子１２、チューナー１３及び復調器１４を有する。
【００１２】
入力端子１２は、アンテナＡｎｔに接続され、アンテナＡｎｔによって受信した放送信号をチューナー１３に供給する。なお、図１ではアンテナＡｎｔが模式的に１つ表されるが、アンテナＡｎｔは、受信する放送信号に応じ、複数設けられる。
【００１３】
チューナー１３は、放送受信部１１内に１又は複数設けられる。チューナー１３は、制御部８１の制御の下、放送信号の中からユーザの所望のチャンネルを選局し、選局された放送信号を復調器１４に出力する。
【００１４】
復調器１４は、高度ＢＳ放送及び高度広帯域ＣＳ放送においては、チューナー１３から入力された放送信号を復調してＴＬＶストリーム（Ｔｙｐｅ  Ｌｅｎｇｔｈ  Ｖａｌｕｅ）に変換し、信号処理部３１に出力する。地上デジタル放送、ＢＳ放送、ＣＳ放送においては、復調器１４は、復調処理によって放送信号をトランスポートストリームに変換し、信号処理部３１に出力する。復調器１４は、送信時における変調方式に対応する復調方式で復調する。
【００１５】
ＣＡＳモジュール２１は、制御部８１の制御の下、ＴＬＶストリームをデスクランブルするための鍵情報を信号処理部３１に出力する回路である。
【００１６】
信号処理部３１は、ＴＬＶストリームのデスクランブル及びＴＬＶ／ＭＭＴ分離処理を行い、各種情報を取得する回路である。
【００１７】
より具体的には、信号処理部３１は、ＣＡＳモジュール２１から入力された鍵情報に基づいて、復調器１４から入力されたＴＬＶストリームをデスクランブルする。続いて、信号処理部３１は、デスクランブルしたＴＬＶストリームに基づいて、ＴＬＶ／ＭＭＴ分離処理によって映像信号、音声信号、字幕、文字スーパー、アプリケーションデータ及び制御情報を分離する。また、信号処理部３１は、パケット分離処理により、トランスポートストリームから映像信号、音声信号及び制御信号を分離する。信号処理部３１は、高能率符号化された映像信号及び音声信号をデコードし映像音声出力部７１に出力する。また、信号処理部３１は、字幕、文字スーパー、アプリケーションデータ及び制御情報を制御部８１に出力する。
【００１８】
信号処理部３１は、ＴＬＶ／ＭＭＴ分離処理において、ＴＬＶストリームから共通データテーブル（ＭＨ−ＣＤＴ）を取得し、共通データテーブルから放送局に対応するロゴ情報Ｌを取得して制御部８１に出力する。また、信号処理部３１は、パケット分離処理によって取得された制御信号から放送局に対応するロゴ情報Ｌを取得して制御部８１に出力する。
【００１９】
操作部４１は、放送受信装置１に設けられ、スイッチ又はボタン画像等によって電源のオン／オフ、チャンネル切替え等の各種の指示入力ができるように構成される。指示入力があると、操作部４１は、指示信号を制御部８１に出力する。
【００２０】
指示信号受信部５１は、外部のリモートコントローラＲｃから指示信号を受信する回路である。ユーザの指示入力があると、リモートコントローラＲｃは、例えば赤外線によって指示信号受信部５１に指示信号を出力する。リモートコントローラＲｃから指示信号の入力があると、指示信号受信部５１は、制御部８１に指示信号を出力する。
【００２１】
Ｉ／Ｆ６１は、外部装置を接続する回路である。Ｉ／Ｆ６１は、制御部８１と接続され、制御部８１の制御の下、Ｉ／Ｆ６１に接続された外部装置との情報の入出力を行う。Ｉ／Ｆ６１は、カードＩ／Ｆ６２、通信Ｉ／Ｆ６３、ＵＳＢＩ／Ｆ６４、ＨＤＭＩＩ／Ｆ６５を有する。
【００２２】
カードＩ／Ｆ６２は、カードホルダ６２ａに保持されたＣＡＳカードＣｄ等のカードから情報の読込みを行う。
【００２３】
通信Ｉ／Ｆ６３は、電話線及びＬＡＮケーブル等の通信ケーブルが接続可能なネットワーク接続端子と接続され、インターネット等のネットワークを介してサーバＳｖと通信を行う。なお、通信Ｉ／Ｆ６３は、有線通信に限定されず、無線通信可能に構成してもよい。
【００２４】
ＵＳＢＩ／Ｆ６４は、ＵＳＢ接続によって外部装置を接続する。ＵＳＢＩ／Ｆ６４には、例えば、外部記憶装置Ｓｄが接続される。ＵＳＢＩ／Ｆ６４には、図示しないメモリカード等の外部装置が接続されてもよい。
【００２５】
ＨＤＭＩＩ／Ｆ６５は、ＨＤＭＩ（登録商標）接続によって外部装置を接続する。ＨＤＭＩＩ／Ｆ６５には、例えば、録画再生装置Ｒｄ、又は、図示しない映像出力装置が接続される。
【００２６】
映像音声出力部７１は、映像信号及び音声信号に基づいて、映像コンテンツを出力する回路である。映像音声出力部７１は、ＯＳＤ信号生成部７２、グラフィック処理部７３、映像処理部７４、映像表示部７５、音声処理部７６、及び、スピーカ７７を有する。
【００２７】
ＯＳＤ信号生成部７２は、制御部８１の制御の下、映像信号に重畳する文字情報を生成し、グラフィック処理部７３に出力する。
【００２８】
グラフィック処理部７３は、信号処理部３１から入力された映像信号と、ＯＳＤ信号生成部７２から入力された文字情報やデータ放送等により生成されたグラフィックとを合成し、映像信号を映像処理部７４に出力する。
【００２９】
映像処理部７４は、グラフィック処理部７３から入力された映像信号に基づいて、表示画面を生成して映像表示部７５に出力する。
【００３０】
映像表示部７５は、ＬＣＤパネル又はＯＬＥＤパネル等の表示パネルを有し、映像処理部７４から入力された表示画面を表示する。
【００３１】
音声処理部７６は、信号処理部３１及び制御部８１から入力された音声信号に高音質化処理や増幅処理等の処理を施した後、スピーカ７７に出力する。
【００３２】
スピーカ７７は、音声処理部７６から入力された音声信号に基づき、音声を出力する。
【００３３】
図２は、実施形態に関わる、放送受信装置１におけるロゴタイプの一例を示す図である。図３は、実施形態に関わる、放送受信装置１におけるロゴ情報Ｌの一例を説明するための図である。
【００３４】
制御部８１は、放送受信装置１内の各部を制御する回路である。制御部８１は、プロセッサ８２及びメモリ８３を有する。制御部８１の機能は、プロセッサ８２がメモリ８３に記憶された各種プログラム及びデータを取得し、実行することによって実現される。制御部８１は、メモリ８３に記憶された各種のアプリケーションも実行可能である。なお、制御部８１には、さらにＨＤＤ等の内部記憶装置が設けられてもよい。
【００３５】
メモリ８３は、ＮＶＲＡＭ、フラッシュＲＯＭ等の読み書き可能な記憶素子を有する。メモリ８３には、放送受信装置１において実行される各種のアプリケーションのプログラムが記憶される。
【００３６】
また、メモリ８３には、放送受信装置１内の各部を制御するための情報やプログラムの他、ロゴ情報Ｌ、表示設定情報Ｓ、及び、画面生成部Ｐのプログラムも記憶される。
【００３７】
ロゴ情報Ｌは、ロゴＩＤ、ロゴタイプ、ロゴデータを含む。
【００３８】
ロゴは、ＥＰＧ又は番組指示入力等において、ユーザが放送局を識別するための図形である。
【００３９】
ロゴＩＤは、放送局に対応するロゴを識別するための情報である。
【００４０】
ロゴタイプは、対応付けられたロゴデータのデータサイズを示す情報である。
【００４１】
図２に一例を示すように、データサイズは、縦幅×横幅のドット数によって示される。ロゴタイプ「ラージ」が１４４×２５６、「スモール」が７２×１２８、「２Ｋ」及び「ＨＤラージ」が３６×６４、「ＨＤスモール」が２７×４８のデータサイズを示す。
【００４２】
ロゴタイプ「ラージ」「スモール」「２Ｋ」は、高度ＢＳ放送及び高度広帯域ＣＳ放送において用いられる。ロゴタイプ「ＨＤラージ」「ＨＤスモール」は、地上デジタル放送、ＢＳ放送、ＣＳ放送において用いられる。
【００４３】
すなわち、メモリ８３は、放送信号から取得し、対応付けられたロゴデータのデータサイズを示すロゴタイプを記憶する。
【００４４】
ロゴデータは、ロゴの画像のデータである。
【００４５】
図３の例では、ロゴデータＬａＬは、ロゴＩＤ「Ａ」とロゴタイプ「ラージ」に対応付けられる。また、ロゴデータＬａｓは、ロゴＩＤ「Ａ」とロゴタイプ「スモール」に対応付けられる。また、ロゴデータＬｂｓは、ロゴＩＤ「Ｂ」とロゴタイプ「スモール」に対応付けられる。また、ロゴデータＬｃｈｓは、ロゴＩＤ「Ｃ」とロゴタイプ「ＨＤスモール」に対応付けられる。また、ロゴデータＬｄｓは、ロゴＩＤ「Ｄ」とロゴタイプ「スモール」に対応付けられる。
【００４６】
表示設定情報Ｓは、ロゴデータを表示するサイズである表示サイズの情報を有する。表示設定情報Ｓは、ユーザの指示入力に応じて設定されてもよい。すなわち、メモリ８３は、ユーザの指示入力によって指示された表示サイズを記憶可能である。
【００４７】
ロゴデータの表示サイズは、例えば、第１表示サイズ、第２表示サイズ及び第３表示サイズのいずれかに予め設定されてもよい。
【００４８】
第１表示サイズは、第２表示サイズよりも大きくなるように設定される。
【００４９】
第２表示サイズは、第１表示サイズよりも小さくなるように設定される。
【００５０】
例えば、第１表示サイズは、ロゴタイプ「ラージ」と同じになるように設定される。また、例えば、第２表示サイズは、ロゴタイプ「スモール」と同じになるように設定される。第１表示サイズ及び第２表示サイズは、これらの例に限定されない。例えば、第１表示サイズをロゴタイプ「スモール」のデータサイズと同じになるように設定し、第２表示サイズを第１表示サイズよりも小さいロゴタイプ「２Ｋ」のデータサイズと同じになるように設定してもよい。また、第１表示サイズを「スモール」と「ラージ」の中間になるように設定し、第２表示サイズを「ラージ」よりも小さくなるように設定してもよい。
【００５１】
第３表示サイズは、表示画面の種類に応じて設定される。表示画面の種類が複数あるとき、第３表示サイズは、表示画面の種類に応じ、複数設定してもよい。
【００５２】
すなわち、メモリ８３は、ロゴデータを表示するサイズである表示サイズと、放送信号から取得した放送局に対応するロゴデータとを記憶する。
【００５３】
画面生成部Ｐは、ロゴ情報Ｌ及び表示設定情報Ｓに基づいて、表示設定情報Ｓに設定された表示サイズを有するロゴデータを所定表示位置に配置した表示画面を生成する。
【００５４】
より具体的には、画面生成部Ｐは、メモリ８３からロゴ情報Ｌと表示設定情報Ｓを取得し、ロゴデータのデータサイズが表示サイズと異なるとき、拡大又は縮小によってロゴデータのデータサイズが表示サイズになるように、或いは、拡大又は縮小によってロゴデータのデータサイズが表示サイズに近づくように、サイズ変更をし、表示サイズを有するロゴデータを所定表示位置に配置した表示画面を生成する。
【００５５】
さらに具体的には、画面生成部Ｐは、ロゴタイプによって示されたデータサイズが表示サイズと異なるとき、拡大又は縮小によってロゴデータのデータサイズが表示サイズになるように、サイズ変更をする。
【００５６】
すなわち、放送受信方法は、ロゴデータを表示するサイズである表示サイズと、放送信号から取得した放送局に対応するロゴデータとをメモリ８３に記憶し、画面生成部Ｐによってロゴデータのデータサイズが表示サイズと異なるとき、拡大又は縮小によってロゴデータのデータサイズが表示サイズになるように、サイズ変更をし、表示サイズのロゴデータを所定表示位置に配置した表示画面を生成する。
【００５７】
なお、ロゴデータのデータサイズが表示サイズと異なるときの表示サイズの変更については、必ずしも表示サイズとする必要はなく、表示サイズとほぼ同じである略表示サイズになるようにしてもよい。
【００５８】
（動作）
次に、実施形態に係る放送受信装置１の動作について説明をする。
【００５９】
放送受信装置１を起動し、アンテナＡｎｔによって放送信号を受信すると、放送受信部１１は、ＴＶＬストリームを信号処理部３１に出力する。信号処理部３１は、ＴＶＬストリームをデスクランブルし、ＴＬＶ／ＭＭＴ分離処理によって映像信号、音声信号及び制御情報を分離し、デコードした映像信号を映像処理部７４に出力し、音声信号を音声処理部７６に出力し、ロゴ情報Ｌを含む制御情報を制御部８１に出力する。
【００６０】
映像処理部７４は、映像信号に基づいて表示画面を生成し、映像表示部７５に表示させる。音声処理部７６は、音声信号に高音質化処理や増幅処理等の処理を施した後、スピーカ７７から出力させる。
【００６１】
信号処理部３１からロゴ情報Ｌが入力されると、制御部８１は、メモリ８３内のロゴ情報Ｌと重複しているか否かを判定し、重複していないロゴ情報Ｌをメモリ８３に記憶する。例えば、図３のロゴ情報Ｌがメモリ８３に記憶され、メモリ８３内のロゴ情報Ｌと重複しないロゴＩＤ「Ａ」かつロゴタイプ「２Ｋ」のロゴ情報Ｌが信号処理部３１から入力されたとき、制御部８１は、ロゴ情報Ｌをメモリ８３に記憶する。
【００６２】
また、メモリ８３内のロゴ情報Ｌと重複したロゴ情報Ｌが入力されたとき、制御部８１は、互いのバージョン情報を比較し、新しいバージョン情報を有するロゴ情報Ｌにメモリ８３を書き換えてもよい。
【００６３】
図４は、実施形態に関わる、放送受信装置１における表示画面の一例を示す図である。図４は、ロゴ表示設定画面Ｄ１の一例である。
【００６４】
ユーザが操作部４１又はリモートコントローラＲｃによって指示入力をすると、制御部８１は、ＯＳＤ信号生成部７２に制御信号を出力し、ロゴ表示設定画面Ｄ１の表示指示を行う。ＯＳＤ信号生成部７２は、表示指示に基づいて、ロゴ表示設定画面Ｄ１を生成し、グラフィック処理部７３及び映像処理部７４を介し、ロゴ表示設定画面Ｄ１を映像表示部７５に表示させる。
【００６５】
ロゴ表示設定画面Ｄ１は、メッセージ「放送局ロゴのデータサイズを設定します」と、ボタン画像「小さい」「自動」「大きい」とを有する。ボタン画像「大きい」によってユーザが指示入力をすると、制御部８１は、第１表示サイズを示す表示設定情報Ｓをメモリ８３に記憶する。ボタン画像「小さい」によってユーザが指示入力をすると、制御部８１は、第２表示サイズを示す表示設定情報Ｓをメモリ８３に記憶する。ボタン画像「自動」によってユーザが指示入力をすると、制御部８１は、第３表示サイズを示す表示設定情報Ｓをメモリ８３に記憶する。
【００６６】
図５は、実施形態に関わる、放送受信装置１における画面生成処理の流れの一例を示すフローチャートである。
【００６７】
ユーザが指示入力をすると、制御部８１は、画面生成部Ｐのプログラムを実行し、表示画面の画面生成処理を開始する。
【００６８】
図５に示すように、制御部８１は、ロゴＩＤと表示サイズを取得する（Ｓ１）。表示画面に表示される放送局に対応するロゴＩＤは、予め定められ、メモリ８３に記憶される。制御部８１は、ロゴＩＤをメモリ８３から取得する。また、制御部８１は、表示設定情報Ｓに示される表示サイズをメモリ８３から取得する。
【００６９】
表示サイズと同じデータサイズを有するロゴデータがメモリ８３に記憶されているか否かを判定する（Ｓ２）。ロゴデータがメモリ８３に記憶されていないとき、処理はＳ３に進む。一方、ロゴデータがメモリ８３に記憶されているとき、処理はＳ４に進む。
【００７０】
ロゴデータのサイズ変更処理を行う（Ｓ３）。制御部８１は、ロゴＩＤに対応付けられたロゴデータをメモリ８３から取得し、Ｓ１において取得した表示サイズになるように、ロゴデータのサイズ変更処理を行う。データサイズの異なるロゴデータが複数あるとき、制御部８１は、より表示サイズに近いデータサイズを有するロゴデータに基づいて、サイズ変更処理を行うことが望ましい。
【００７１】
サイズ変更処理は、例えば、バイリニア補間法、又は、バイキュービック補間法等の所定の画像の拡大処理又は縮小処理である。なお、サイズ変更処理は、これらに限定されず、他の処理によって行われてもよい。
【００７２】
表示サイズを有するロゴデータを所定表示位置に配置する（Ｓ４）。Ｓ３を実行していないとき、制御部８１は、メモリ８３から表示サイズと同じデータサイズを有するロゴデータを取得する。Ｓ３を実行しているとき、制御部８１は、Ｓ３によってサイズ変更処理が行われたロゴデータを取得する。制御部８１は、取得したロゴデータを所定表示位置に配置し、表示画面を生成する。
【００７３】
Ｓ１、Ｓ２、Ｓ４の処理が第１の画面生成部Ｐの処理である。Ｓ１、Ｓ２、Ｓ３、Ｓ４の処理が第２の画面生成部Ｐの処理である。
【００７４】
すなわち、放送受信装置１は、放送信号に含まれる放送局に対応する第１サイズのロゴデータを受信し、第１サイズのロゴデータを表示サイズにして所定表示位置に配置した表示画面を生成する第１の画面生成部Ｐと、放送信号に含まれる放送局に対応する第１サイズよりも画素数の大きい第２サイズのロゴデータを受信し、第２サイズのロゴデータを表示サイズにするか或いは近づけて所定表示位置に配置した表示画面を生成する第２の画面生成部Ｐと、を有する。
【００７５】
また、放送受信装置１は、第１解像度の放送と、第１解像度とは異なる第２解像度の放送の受信が可能である。放送受信装置１は、第１解像度の放送を受信して第１解像度の放送に含まれる第１サイズの放送局に対応するロゴデータを受信し、第１サイズのロゴデータを表示サイズにして所定表示位置に配置した表示画面を生成する第１の画面生成部Ｐと、第２解像度の放送を受信して第２解像度の放送に含まれる第１サイズよりも画素数の大きい第２サイズの放送局に対応するロゴデータを受信し、第２サイズのロゴデータを表示サイズにするか或いは近づけて所定表示位置に配置した表示画面を生成する第２の画面生成部Ｐと、を有する。
【００７６】
また、放送受信方法は、第１の画面生成部Ｐによって放送信号に含まれる放送局に対応する第１サイズのロゴデータを受信し、第１サイズのロゴデータを表示サイズにして所定表示位置に配置した表示画面を生成し、第２の画面生成部Ｐによって放送信号に含まれる第１サイズよりも画素数の大きい放送局に対応する第２サイズのロゴデータを受信し、第２サイズのロゴデータを表示サイズにするか或いは近づけて所定表示位置に配置した表示画面を生成する。
【００７７】
次に、第１表示サイズが１０８×１９２に設定され、第２表示サイズがロゴタイプ「スモール」と同じ７２×１２８の表示サイズに設定された場合における、番組表画面Ｄ２、Ｄ３の生成処理を説明する。
【００７８】
図６は、実施形態に関わる、放送受信装置１におけるサイズ変更処理を説明するための説明図である。図７及び図８は、実施形態に関わる、放送受信装置１における表示画面の一例を示す図である。
【００７９】
図７は、第１表示サイズを有するロゴデータを配置した番組表画面Ｄ２の一例を示す。図７において、「ＹＹ」が２桁のチャンネル番号（リモコン等のワンタッチ選局ボタンに対応する番号）を示し、「ＺＺＺ」が３桁のチャンネル番号を示す。図８以降も同様である。
【００８０】
ユーザが、ロゴ表示設定画面Ｄ１におけるボタン画像「大きい」によって指示入力をすると、制御部８１は、第１表示サイズを示す表示設定情報Ｓをメモリ８３に記憶する。
【００８１】
制御部８１は、表示対象となるロゴＩＤ「Ａ」と第１表示サイズを取得する（Ｓ１）。制御部８１は、第１表示サイズと同じデータサイズを有し、ロゴＩＤ「Ａ」に対応付けられたロゴデータがメモリ８３に記憶されていないと判定する（Ｓ２、図２、図３）。制御部８１は、ロゴデータＬａＬをメモリ８３から取得し、０．７５倍に縮小処理し、第１表示サイズを有するロゴデータＬ１を生成する（Ｓ３、図６）。制御部８１は、ロゴデータＬ１を番組表画面Ｄ２の所定表示位置に配置する（Ｓ４）。
【００８２】
また、制御部８１は、ロゴＩＤ「Ｂ」を取得し（Ｓ１）、ロゴＩＤ「Ｂ」かつ第１サイズと同じデータサイズを有するロゴデータがメモリ８３に記憶されていないと判定し（Ｓ２）、ロゴデータＬｂｓを１．５倍に拡大処理し、第１表示サイズを有するロゴデータＬ２を生成する（Ｓ３、図６）。制御部８１は、ロゴデータＬ２を番組表画面Ｄ２の所定表示位置に配置する（Ｓ４）。
【００８３】
制御部８１は、Ｓ１〜Ｓ４の処理を繰り返し、第１表示サイズを有するロゴデータＬ３、Ｌ４、Ｌ５、Ｌ６、Ｌ７も生成して所定表示位置に配置し、番組表画面Ｄ２を生成する。
【００８４】
制御部８１は、ＯＳＤ信号生成部７２、グラフィック処理部７３、映像処理部７４を介し、生成した番組表画面Ｄ２を映像表示部７５に表示させる。
【００８５】
図８は、第２表示サイズを有するロゴデータを配置した番組表画面Ｄ３の例である。
【００８６】
ユーザが、ロゴ表示設定画面Ｄ１のボタン画像「小さい」によって指示入力をすると、制御部８１は、第２表示サイズを示す表示設定情報Ｓをメモリ８３に記憶する。
【００８７】
制御部８１は、ロゴＩＤ「Ａ」と第２表示サイズを取得する（Ｓ１）。制御部８１は、ロゴＩＤ「Ａ」かつ第２表示サイズと同じデータサイズを有するロゴデータがメモリ８３に記憶されていると判定し（Ｓ２）、制御部８１は、ロゴデータＬａｓをメモリ８３から取得し、番組表画面Ｄ３の所定表示位置に配置する（Ｓ４）。制御部８１は、Ｓ１〜Ｓ４の処理を繰り返し、第２表示サイズを有するロゴデータを所定表示位置に配置し、番組表画面Ｄ３を生成する。
【００８８】
次に、放送受信装置１のチャンネル切換画面Ｄ４の画面生成処理について、説明をする。
【００８９】
図９は、実施形態に関わる、放送受信装置１における表示画面の一例を示す図である。図９は、チャンネル切換画面Ｄ４の一例を示す。
【００９０】
ユーザが指示入力をすると、制御部８１は、画面生成部Ｐのプログラムを実行し、チャンネル切換画面Ｄ４の画面生成処理を開始する。
【００９１】
制御部８１は、チャンネル切換時、チャンネル切換画面Ｄ４の右上にチャンネル切換バナーを例えば所定時間、例えば５秒間表示する。チャンネル切換バナー表示時、制御部８１はチャンネル切換バナー内に表示される放送局に対応するロゴＩＤをメモリ８３から取得する。また、制御部８１は、表示設定情報Ｓに示される表示サイズをメモリ８３から取得する（Ｓ１）。
【００９２】
例えば、表示設定情報Ｓに示される表示サイズが１４４×２５６であるとき、制御部８１は、表示サイズと同じデータサイズを有するロゴデータＬａＬがメモリ８３に記憶されていると判定する（Ｓ２）。制御部８１は、メモリ８３からロゴデータＬａＬを取得し、チャンネル切換画面Ｄ４の所定表示位置に配置する（Ｓ４）。
【００９３】
図１０は、実施形態に関わる、放送受信装置１における表示画面の一例を示す図である。図１０は、録画設定画面Ｄ５の一例を示す。図１０において、「ＸＸＸ・・・ＸＸＸ」は所定メッセージを示す。
【００９４】
ユーザが指示入力をすると、制御部８１は、画面生成部Ｐのプログラムを実行し、録画設定画面Ｄ５の画面生成処理を開始する。
【００９５】
制御部８１は、録画設定画面Ｄ５に表示される放送局に対応するロゴＩＤをメモリ８３から取得する。また、制御部８１は、表示設定情報Ｓに示される表示サイズをメモリ８３から取得する（Ｓ１）。
【００９６】
例えば、表示設定情報Ｓに示される表示サイズが１４４×２５６であるとき、制御部８１は、表示サイズと同じサイズを有するロゴデータＬａＬがメモリ８３に記憶されていると判定する（Ｓ２）。制御部８１は、メモリ８３からロゴデータＬａＬを取得し、録画設定画面Ｄ５の所定表示位置に配置する（Ｓ４）。
【００９７】
すなわち、画面生成部Ｐは、少なくとも、番組表画面Ｄ２、Ｄ３、チャンネル切換画面Ｄ４、又は、録画設定画面Ｄ５のいずれか１つを含む表示画面を生成するように構成してもよい。
【００９８】
実施形態によれば、放送受信装置１は、放送局に対応するロゴの表示サイズを整え、表示画面をより見やすくすることができる。
【００９９】
なお、実施形態では、表示サイズは、メモリ８３に記憶された表示設定情報Ｓによって定められるが、表示サイズ決定部Ｐｓを有し、表示サイズ決定部Ｐｓは、表示画面における表示チャンネル数に応じ、表示サイズを決定してメモリ８３に記憶させるように構成してもよい（図１の２点鎖線）。
【０１００】
なお、実施形態では、制御部８１の機能は、制御部８１がプログラムを実行することにより実現されるが、各処理部の一部又は全部の機能が、回路により実現されても構わない。
【０１０１】
本発明の実施形態を説明したが、これらの実施形態は、例として示したものであり、本発明の範囲を限定することは意図していない。これら新規の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０２】
１・・・放送受信装置、１１・・・放送受信部、１２・・・入力端子、１３・・・チューナー、１４・・・復調器、２１・・・ＣＡＳモジュール、３１・・・信号処理部、４１・・・操作部、５１・・・指示信号受信部、６１・・・Ｉ／Ｆ、６２・・・カードＩ／Ｆ、６２ａ・・・カードホルダ、６３・・・通信Ｉ／Ｆ、６４・・・ＵＳＢＩ／Ｆ、６５・・・ＨＤＭＩＩ／Ｆ、７１・・・映像音声出力部、７２・・・ＯＳＤ信号生成部、７３・・・グラフィック処理部、７４・・・映像処理部、７５・・・映像表示部、７６・・・音声処理部、７７・・・スピーカ、８１・・・制御部、８２・・・プロセッサ、８３・・・メモリ、Ａｎｔ・・・アンテナ、Ｃｄ・・・ＣＡＳカード、Ｄ１・・・ロゴ表示設定画面、Ｄ２、Ｄ３・・・番組表画面、Ｄ４・・・チャンネル切換画面、Ｄ５・・・録画設定画面、Ｌ・・・ロゴ情報、Ｐ・・・画面生成部、Ｐｓ・・・表示サイズ決定部、Ｒｃ・・・リモートコントローラ、Ｒｄ・・・録画再生装置、Ｓ・・・表示設定情報、Ｓｄ・・・外部記憶装置、Ｓｖ・・・サーバ
【図１】
2019161404.tif 000003
【図２】
2019161404.tif 000004
【図３】
2019161404.tif 000005
【図４】
2019161404.tif 000006
【図５】
2019161404.tif 000007
【図６】
2019161404.tif 000008
【図７】
2019161404.tif 000009
【図８】
2019161404.tif 000010
【図９】
2019161404.tif 000011
【図１０】
2019161404.tif 000012